【事件の表示】
　昭和６２年特許願第２６０８５３号「オートフオーカス装置」拒絶査定に対する審判事件（平成７年６月２８日出願公告、特公平７−６０２０９）について、次のとおり審決する。
【結論】
　本件審判の請求は、成り立たない。
【理由】
１．本願の経緯及び本願発明
　本願は昭和６２年１０月１５日の出願であって、本願の発明の要旨は、平成１１年２月２２日付け手続補正書にて補正された明細書及び図面の記載からみて、特許請求の範囲に記載された以下のとおりのものと認められる。
　「被写体からの光束を受光し、該光束の受光位置により被写体距離に応じた出力を発生する受光素子を含む測距回路を有し、該受光素子出力に基づいて撮影レンズを駆動するオートフォーカス装置において、複数の異なる特定の被写体距離に対象物を位置させて，各対象物からの光束を前記測距回路の受光素子にて受光させることで、各被写体距離に対する前記受光素子出力を測定し、その上で求められた各測定値に対応して、それぞれの被写体距離の対象物にピントを合わせるために必要な撮影レンズの初期位置からのレンズ駆動量に関するデーターが記憶されるメモリー回路と、撮影に際して前記受光素子出力の測定値に応じて該測定値に対応するデーターを前記メモリー回路から読み出す読み出し回路を設け、該読み出し回路にて読み出されたデーターに基づいて初期位置から撮影レンズを前記駆動量分駆動することを特徴とするオートフオーカス装置。」（以下、「本願発明」という。）
２．引用例
２−１．原審の拒絶査定の理由である特許異議決定において引用された特開昭６０−８６４０９号公報（以下、「引用例１」という。）には次の事項が記載されている。
　［記載事項１−１］（第１頁右下欄第７行目〜同欄第９行目）
　「本発明は、例えばズームレンズカメラにおける撮影レンズの自動焦点調節に用いられる測距装置に関するものである。」
　［記載事項１−２］（第２頁左下欄第１５行目〜第３頁左上欄第１２行目、第２，３図）
　「上述の測距動作を正確に行わせるためには、各部の部品精度の向上や、正確な調整等が要求される。この点について先ず、フォーカシングレンズ１と受光素子１５の機械的連動部の部品寸法誤差が大きい場合について考えてみると、いま被写体Ｓまでの距離が１／ｄ０（例えば３ｍ）の場合に、連動ピン１６を調節すればこの距離に対しては測距誤差が零となるが、それ以外の距離では例えば第３図のような測距誤差を生じる傾向がある。…（第２頁右下欄第第４行目〜第４頁左上欄第２行目省略）．．．本発明の目的は、上述の欠点を解消し、通常精度の部品を使用し簡単な調節を行うだけで高精度の測距を実現できる測距装置を提供することにあり、その要旨は、被写体までの距離を測距し測距情報を発生する装置であって、所定の条件下での測距誤差量と該所定の条件とを記憶する記憶手段と、該記憶手段の条件を基に任意の条件下での測距誤差量を演算する演算手段とを設け、この演算手段の出力により測距信号を補正して前記測距情報を出力することを特徴とするものである。」
　［記載事項１−３］（第２頁左上欄第６行目〜同頁右上欄第８行目、第７，８図）
　「距離環７の側部には受光素子ホルダ１４が配置されており、このホルダ１４には２つの画素１５ａ、１５ｂを有するフォトダイオードから成る受光素子１５が取り付けられている。更に、ホルダ１４から距離環７に向けて連動ピン１６が図示しないばねにより弾性的に突出され、その先端は距離環７に設けられ距離環７の回転に従って高さの変化する距離用カム７ａに接している。…発光素子１３からの反射光を受ける受光素子１５の２つの画素１５ａ、１５ｂから、それぞれ同期アンプ２０，２１に信号が出力され、同期アンプ２０，２１の出力は距離演算回路２２に入力されている。このとき発光素子１３、同期アンプ２０，２１は、発振回路２３からの信号によって同期がとられている。そして、距離演算回路２２の出力は電動機駆動回路２４に伝達され、電動機８を駆動してフォーカシングレンズ１を移動するようになっている。」
　［記載事項１−４］（第３頁左上欄第１５行目〜同頁左下欄第４行目、第７，８，９図）
　「第７図は実施例の機械・光学系の構成図、第８図は電気系のブロック回路図、第９図は補正回路の詳細なブロック回路図であり、…３１はポテンショメータ或いはグレースケール等から成り、フォーカシングレンズ１の位置を検出するポジションセンサ（以下ｄセンサと云う）であって、ギアを介して距離環７と連動されている。３２も同様にポジションセンサ（以下ｆセンサと云う）であって、ズーム環９に取り付けられた操作リング３３と連動され、ズーミングの焦点距離を検出している。…第８図の回路は先の第２図に相当するものであり、距離演算回路２２と電動機駆動回路２４との間に補正回路４０が挿入されている。この補正回路４０は第９図に詳細に示すように、距離演算回路２２の出力は３個のメモリ回路４１、４２、４３に入力され、これらのメモリ回路４１，４２，４３の出力は、それぞれ誤差演算回路５１、５２、５３を介して加算器５４に加えられている。この加算器５４の出力は減算器５５に入力され、距離演算回路２２の出力を差し引くようにされており、減算器５５の出力は切換スイッチ５６を介して電動機駆動回路２４に伝達されている。」
　［記載事項１−５］（第３頁右下欄第７行目〜第４頁左上欄第１０行目、第９図、第１表）
　「次に、実施例の動作について説明すると、先ず調整段階において…、焦点距離ｆ＝ｆ０（望遠端）の状態において中間距離ｄ０の距離に被写体Ｓをおき、第９図の切換スイッチ５６を接点ａ側に切換え電動機８を停止させておき、距離環７を手動操作してピントを合わせる。続いて、前述の２つの画素１５ａ、１５ｂからの信号量Ａ、Ｂから演算した信号Ｅ＝（Ａ−Ｂ）／（Ａ＋Ｂ）が、零となるように連動ピン１６を調節することにより、第１表及び第２表の該当するＥ０をほぼ零とすることができるが、連動ピン１６の調節誤差により若干の測距誤差が残る場合がある。そこで、切換スイッチ６１を接点ａ側に切換えて、このときのＥ０の値とｄ０の値をメモリ回路５１で記憶する。更に、切換スイッチ６１を接点ｂ側に戻し、切換スイッチ５６は接点ａ側の状態のままで、測距可能な遠距離ｄ１の被写体Ｓに対し手動動作でピントを合わせる。続いて、切換スイッチ６１を接点ａ側に切換え、第１表からこのときの信号Ｅ１の値と遠距離ｄ１の値をメモり回路４１に記憶する。同様にして、至近距離ｄ２に対しても、Ｅ２とｄ２を記憶する。従って、メモリ回路４１は３組のデータを記憶することになる。」
　［記載事項１−６］（第４頁右上欄第５行目〜同頁左下欄第１行目、第９図）
　「実際の使用状態における測距は、第９図に示す接点状態で行われ、各センサ３１，３２，３４の出力は誤差演算回路５１，５２，５３に入力され、距離演算回路２２の出力Ｅが零になるように電動機８が制御される。つまり、補正回路４０中の誤差演算回路５１には、現在の距離環７の位置がｄセンサ３１により入力され、誤差演算回路５１ではこの距離ｄに対するＥの値を、メモリ回路４１の（ｄ０，Ｅ０）、（ｄ１，Ｅ１）、（ｄ２，Ｅ２）の３組の値から求めた２次曲線を基に演算する。同様にして、誤差演算回路５２は現在の焦点距離ｆに対するＥの値を演算し、誤差演算回路５３は現在の温度Ｔに対するＥの値を演算する。これらのＥの値は加算器５４で加算され、減算器５５において距離演算回路２２の出力からこの加算器５４の出力が減算され、その値により電動機８が制御されることになる。」
　［記載事項１−７］（第４頁左下欄第１２行目〜同欄第１７行目）
　「なお、レンズが固定焦点レンズの場合には焦点距離ｆの補正は不要である。前述の記憶動作をカメラ製造時に実施し、製品として使用者が操作する際は全て演算動作とすれば、従来と全く変わらない操作により高精度の測距を行うことが可能となる。」
　以上の［記載事項１−１］〜［記載事項　１−７］を総合すると、引用例１には
「カメラの自動焦点調節に用いられる測距装置に関するものであって、発光素子１３からの反射光を受ける受光素子１５の２つの画素１５ａ、１５ｂから、それぞれ同期アンプ２０，２１に信号が出力され、同期アンプ２０，２１の出力は距離演算回路２２に入力されて、距離演算回路２２の出力は電動機駆動回路２４に伝達され、電動機８によりフォーカシングレンズ１を駆動して自動焦点調節を行う型式のものにおいて、部品精度や調整等に起因する測距誤差を解消するために、中間距離ｄ０、遠距離ｄ１及び至近距離ｄ２の距離に被写体Ｓをおき、受光素子の２つの画素１５ａ、１５ｂからの信号量Ａ，Ｂから演算した、中間距離ｄ０、遠距離ｄ１及び至近距離ｄ２に対する（Ａ−Ｂ）／（Ａ＋Ｂ）の値（Ｅ）をそれぞれＥ０，Ｅ１，Ｅ２として、メモリ回路４１に（ｄ０，Ｅ０）、（ｄ１，Ｅ１）、（ｄ２，Ｅ２）の３組の値として記憶させ、カメラの使用時に、補正回路４０により、距離環７の位置とメモリ回路４１に記憶された値から求めた２次曲線とを基に、任意の条件すなわち任意の距離環７の位置における測距誤差量Ｅの値を演算し、距離演算回路２２の出力からＥの値を減算してその値により電動機８を制御することによって、測距動作を正確に行わせる自動焦点調節装置」なる発明（以下、「引用発明」という。）が記載されている。
２−２．また、原審の拒絶査定の理由である特許異議決定において引用された特開昭６２−３６０９号公報（以下、「引用例２」という。）には次の事項が記載されている。
　［記載事項　２−１］（第１頁右下欄第３行目〜第２頁左上欄第１５行目）
　「本発明は３角測距法を用いた測距装置に関するものであり、詳しくは装置前面に配された投光手段により検体に投光された光ビームの反射光を、同じく該装置前面付近に配されたポジションセンサ等の一次元位置検出装置（以下ポジションセンサ等という）により点像として受光し、このポジションセンサ等における反射光（点像）受光位置に基づいて装置から検体までの距離を測定する測距装置に関するものである。…（第１頁第１２行目〜第２頁左上欄第７行目省略）…しかしながら、実際にはポジションセンサ等を形成する素材の不均一性、あるいはポジションセンサ等に反射光を収束させるための結像レンズの収差が存在するため、上記距離と上記電流値との関係が完全に直線性を有するように形成することは難しい。このため上述したタイプの測距装置においては正確な距離測定を行うことが困難であった。」
　［記載事項２−２］（第２頁右上欄第３行目〜同欄第１３行目）
　「本発明の測距装置は、ポジションセンサ等から出力された電流の値に応じて検体までの距離を算出する距離算出回路中にその算出距離を所定の値に補正する記憶素子を備えたもので、具体的にはこの記憶素子に、前述した点像の位置（基準位置からの距離）と電流の値との関係が直線性を有するように補正を行う補正テーブルを予め記憶せしめ、これによりポジションセンサ等を形成する素材の不均一性やポジションセンサ等上に点像を形成する結像レンズの収差等から生じる誤差を除去することを特徴とするものである。」
　［記載事項２−３］（第３頁右上欄第１８行目〜同頁右下欄第３行目、第１，２図）
　「第２図は、メモリ部８に記憶させる補正テーブルを作成する様子を説明するためのグラフである。横軸は被測定物体１までの正確な距離を示すものであり、縦軸はその被測定物体１を本装置により測定した際回路６から出力される距離信号の値を示すものである。もし、前述した結像レンズ５の収差、ポジションセンサ４の不均一性等による誤差がないとすれば、上記両者は一致して破線で示す直線からなるグラフにを描くことができるはずである。しかし、上記誤差により、物体１の各実測値はこの破線からずれ、例えばＸ２の物体位置に対し実測値はＸ２＋ΔＸ２を示す。補正テーブルを作成するには、各実測点を通るように補間処理を施して実線で示すような補正カーブを作成し、この補正カーブに基づいて物体位置と実測値との関係を全測距範囲に亘り所望の間隔毎に調べる。この後調べた結果をメモリ部８に記憶させる。…この補正テーブルに基づく距離信号の補正は以下に示すようにして行われる。すなわち、回路６からＣＰＵ７に距離信号が入力された際その値が例えばＸ２＋ΔＸ２であった場合に、ＣＰＵ７はこの値Ｘ２＋ΔＸ２をメモリ部８へ送出し、メモリ部８はその入力に応答して上記補正テーブルに基づき補正値Ｘ２をＣＰＵ７に送出する。」
３．対比・判断
３−１．対比
　本願発明と引用発明とを比較するに、引用発明における
▲１▼「フォーカシングレンズ１」、
▲２▼「中間距離ｄ０、遠距離ｄ１及び至近距離ｄ２の距離」、
▲３▼「被写体Ｓ」、
▲４▼「自動焦点調節装置」及び
▲５▼「カメラの使用時」
は、本願発明の
▲１▼「撮影レンズ」、
▲２▼「複数の異なる特定の被写体距離」、
▲３▼「対象物」、
▲４▼「オートフォーカス装置」及び
▲５▼「撮影に際して」
に相当する。
３−２．一致点
　従って、両者は、「被写体からの光束を受光し、受光素子を含む測距回路を有し、該受光素子出力に基づいて撮影レンズを駆動するオートフォーカス装置において、複数の異なる特定の被写体距離に対象物を位置させて，各対象物からの光束を前記測距回路の受光素子にて受光させることで、各被写体距離に対する前記受光素子出力を測定し、その上で求められた各測定値に対応して、レンズ駆動量に関するデーターが記憶されるメモリー回路と、撮影に際して前記受光素子出力の測定値に応じて該測定値に対応するデーターを前記メモリー回路から読み出す読み出し回路を設け、該読み出し回路にて読み出されたデーターに基づいて撮影レンズを駆動することを特徴とするオートフオーカス装置。」の点で一致する。
３−３．相違点
　そして、本願発明は、以下の点で、引用発明と相違する。
　［相違点　１］本願発明では、オートフォーカス装置が「光束の受光位置により被写体距離に応じた出力を発生する受光素子を含む」ものであり、「撮影に際して被写体距離に応じた出力に基づいて初期位置から撮影レンズを駆動する」型式のものであるるのに対して、引用発明は、オートフォーカス装置が「発光素子１３からの反射光を受ける受光素子１５の２つの画素１５ａ、１５ｂから、それぞれ同期アンプ２０，２１に信号が出力され、同期アンプ２０，２１の出力は距離演算回路２２に入力されて、距離演算回路２２の出力は電動機駆動回路２４に伝達され、電動機８によりフォーカシングレンズ１（撮影レンズに相当）を駆動すると共に、受光素子１５を前記電動機８により変位させて自動焦点調節を行う型式」である点で相違する。
　［相違点　２］また、本願発明では、オートフォーカス装置が「各測定値に対応して、それぞれの被写体距離の対象物にピントを合わせるために必要な撮影レンズの初期位置からのレンズ駆動量に関するデータ一が記憶されるメモリー回路と、撮影に際して前記受光素子出力の測定値に応じて該測定値に対応するデーターを前記メモリー回路から読み出す読み出し回路」を有するのに対して、引用発明は、任意の距離環７の位置における測距誤差量をメモリー回路に記憶させ、距離環７の位置に対応する測距誤差を読み出すように補正回路４０が構成されている点で相違する。
３−４．判断
　そこで、まず前記［相違点　１］を検討する。本願の明細書の第２頁第４行目〜同頁第１１行目に記載されているように、本願出願前、投光光学系を介して参照光を被写体に照射し、該被写体からの反射光を受光レンズを介して固定された受光素子にて受光させ、該受光素子上における上記反射光の受光位置を受光素子出力から検知して被写体距離を求め、該距離に応じた分だけレンズを初期位置から駆動することにて距離合わせを行う型式のオートフォーカス装置は多種提案されており、周知である。
　そして、引用発明の自動焦点を行う型式を、周知のように「光束の受光位置により被写体距離に応じた出力を発生する受光素子を含む」ものとし、「撮影に際して被写体距離に応じた出力に基づいて初期位置から撮影レンズを駆動する」型式のものに変更することに特段の技術上の困難はなく、当該変更は、当業者が格別困難なく想到できた事項である。
　次に、前記［相違点　２］について検討する。引用発明のメモリ回路４１に記憶された値も、本願発明のメモリー回路に記憶された値も、いずれも受光素子の出力のみに基づいて駆動した撮影レンズの位置と、対象物にピントを合わせた場合との間に生じる撮影レンズの位置の差（誤差）に対応する値を含む値である。引用発明のオートフォーカスの型式の場合、受光素子を変位させて２つの画素１５ａ、１５ｂの出力をバランスさせるように電動機８により受光素子を変位させるいわゆるサーボ制御であるため、受光素子の出力値と誤差の量とは一義的に対応せず、距離環７の位置（距離用カム７ａの位置）と誤差の量とが１対１に対応するから、補正回路４０は距離環７の位置に対応させて誤差の量のみをメモリ回路４１に記憶させていることは当業者に明らかな事項である。そして、引用発明のオートフォーカスの型式を前記周知の型式に変更した場合、受光素子の出力（測定値）は被写体距離に対応したものとなるから、誤差の量は、受光素子の出力値（被写体の距離に対応する）に１対１に対応し、かつ、誤差の補正量を含めた撮影レンズの初期位置からピントの合った位置までの駆動量（誤差が補正された駆動量の値）も受光素子の出力値に１対１に対応することはその動作原理から明らかである。
　一方、引用例２には、「ポジションセンサ等を形成する素材の不均一性、あるいはポジションセンサ等に反射光を集束させるための結像レンズの収差が存在するため、上記距離と上記電流値との関係が完全に直線性を有するように形成することは難しい。このため、被測定物体までの正確な距離を、回路６から出力される距離信号に対応させて、点像の位置（基準位置からの距離）と電流の値との関係を補正する補正テーブルを、メモリ部に予め記憶せしめ、回路６からＣＰＵ７に距離信号が入力された際、ＣＰＵ７はこの値をメモリ部８へ送出し、メモリ部８はその入力に応答して上記補正テーブルに基づき補正値Ｘ２（被測定物体までの補正された距離）をＣＰＵ７に送出する。これによりポジションセンサ等を形成する素材の不均一性やポジションセンサ等上に点像を形成する結像レンズの収差等から生じる誤差を除去する」技術、すなわち受光素子の出力（測定値）に対応させて、装置が必要とする最終結果である誤差の補正された値（被写体までの距離）をメモリー（メモリ回路）に記憶しておき、受光素子の出力（測定値）に応じて、受光素子の出力（測定値）に対応する、誤差が補正された最終結果を、前記メモリーから読み出す技術が公知である。
　結局、引用発明の自動焦点調節を行う型式を前記周知の型式に変更した場合、誤差を含めた撮影レンズの初期位置からのレンズ駆動量（装置が必要とする最終結果）が受光素子からの測定値に１対１対応することは上述したとおりであり、また、誤差の補正手段として、測定値に対応させて、装置が必要とする最終結果であるところの誤差が補正された値をメモリ回路に記憶させ、測定値に応じて該測定値に対応する最終結果を読み出すことは、引用例２に記載されているように公知である。よって、引用発明のメモリ回路４１に記憶させ、読み出すデーターを、誤差の補正量のみとするかわりに、装置が必要とする最終結果であるところの、誤差の補正量を含めた撮影レンズの初期位置からピントの合った位置までの駆動量（誤差が補正された駆動量の値）とすること、すなわち、引用発明の補正回路４０の構成を、各測定値に対応して、それぞれの被写体距離の対象物にピントを合わせるために必要な撮影レンズの初期位置からのレンズ駆動量に関するデータ一が記憶されるメモリー回路と、撮影に際して前記受光素子出力の測定値に応じて該測定値に対応するデーターを前記メモリー回路から読み出す読み出し回路を備えたものとすることは当業者が容易に想到し得た事項である。
　また、前記［相違点　１］及び［相違点　２］における、本願発明の構成によりもたらされる効果は、引用例１，２及び周知の技術から予測される範囲のものである。
４．むすび
　以上のとおりであるから、本願発明は引用例１、２に記載された発明に基づいて当業者が容易に発明できたものであり、特許法第２９条第２項の規定により特許を受けることができない。
　よって、結論のとおり審決する。